(57)【要約】      （修正有）【課題】明度及び色相が均一な光を提供するバックライトアセンブリーを提供する。【解決手段】バックライトアセンブリーは第１ＬＥＤパッケージＰ１、第２ＬＥＤパッケージＰ２、導光板５５０、印刷回路基板ＰＢ及び遮光部材５３５を含む。第１ＬＥＤパッケージＰ１は第１色相の光を発生する。第２ＬＥＤパッケージＰ２は第１色相と異なる第２色相の光を発生し、第２ＬＥＤパッケージＰ２は第１ＬＥＤパッケージＰ１と同一の個数に第１ＬＥＤパッケージＰ１と互いに交互に配列される。導光板５５０は第１ＬＥＤパッケージＰ１及び第２ＬＥＤパッケージＰ２から入射光Ｌ１、Ｌ２を受信して出射光ＥＴを出射し、印刷回路基板ＰＢは第１ＬＥＤパッケージＰ１及び第２ＬＥＤパッケージＰ２を実装する。遮光部材５３５は第１ＬＥＤパッケージＰ１の中の印刷回路基板ＰＢの最外側に実装されたいずれか１つから発生して導光板５５０側へ進行する光を遮断する。【選択図】図３
2014038831.tif 000002
【特許請求の範囲】
【請求項１】
各々が第１色相の光を発生する複数の第１ＬＥＤパッケージと、
各々が前記第１色相と異なる第２色相の光を発生し、前記第１ＬＥＤパッケージの個数と同一の個数で前記第１ＬＥＤパッケージと互いに交互に配列される複数の第２ＬＥＤパッケージと、
前記第１ＬＥＤパッケージ及び前記第２ＬＥＤパッケージから入射光を受信して出射光を出射する導光板と、
前記第１ＬＥＤパッケージ及び前記第２ＬＥＤパッケージが実装された印刷回路基板と、
前記第１ＬＥＤパッケージの中の前記印刷回路基板の最外側に実装されたいずれか１つから発生して前記導光板側へ進行する光を遮断する遮光部材と、を含むバックライトアセンブリー。
【請求項２】
前記第１ＬＥＤパッケージの個数及び前記第２ＬＥＤパッケージの個数各々がｍ個（ｍは自然数）である時、ｍ−１個に該当する第１ＬＥＤパッケージから発生される光及びｍ個に該当する第２ＬＥＤパッケージから発生される光が前記導光板側へ提供されることを特徴とする請求項１に記載のバックライトアセンブリー。
【請求項３】
前記出射光の色相は前記第１色相及び前記第２色相が互いに混合されて白色になることを特徴とする請求項１に記載のバックライトアセンブリー。
【請求項４】
前記第１色相は緑色であり、前記第２色相はマゼンタ色であることを特徴とする請求項３に記載のバックライトアセンブリー。
【請求項５】
前記第１ＬＥＤパッケージの中の前記最外側に配列された前記いずれか１つはダミーＬＥＤパッケージとして定義され、前記ダミーＬＥＤパッケージ及び前記ダミーＬＥＤパッケージの次に配列された前記第２ＬＥＤパッケージいずれか１つは第１間隔を置いて配列され、前記互いに交互に配列された前記第１及び第２ＬＥＤパッケージの中の前記ダミーＬＥＤパッケージを除外した残りは前記第１間隔より小さい第２間隔を置いて配列されることを特徴とする請求項１に記載のバックライトアセンブリー。
【請求項６】
前記導光板、前記第１及び第２ＬＥＤパッケージを収納する収納容器と、
前記導光板を前記収納容器に支持するモールドフレームと、をさらに含み、
前記遮光部材は前記モールドフレームに結合されて前記導光板及び前記ダミーＬＥＤパッケージの間に配置されることを特徴とする請求項５に記載のバックライトアセンブリー。
【請求項７】
前記導光板、前記第１及び第２ＬＥＤパッケージを収納する収納容器と、
前記導光板を前記収納容器に支持するモールドフレームと、をさらに含み、
前記遮光部材は前記収納容器に結合されて前記導光板及び前記ダミーＬＥＤパッケージの間に配置されることを特徴とする請求項５に記載のバックライトアセンブリー。
【請求項８】
前記遮光部材は前記ダミーＬＥＤパッケージの発光面に付着された遮光テープであることを特徴とする請求項５に記載のバックライトアセンブリー。
【請求項９】
前記印刷回路基板上に実装され、複数の電源端子を有するコネクターをさらに含み、
前記印刷回路基板は、
前記第１ＬＥＤパッケージを各々がｍ個（ｍは２以上の自然数）の第１ＬＥＤパッケージを有する第１グループに分ける時、前記第１グループの中でいずれか１つが有するｍ個の第１ＬＥＤパッケージを前記複数の電源端子の中でいずれか１つに電気的に並列に連結させる第１印刷回路と、
前記第２ＬＥＤパッケージを各々がｎ個（ｎは２以上の自然数）の第２ＬＥＤパッケージを有する第２グループに分ける時、前記第２グループの中でいずれか１つが有するｎ個の第２ＬＥＤパッケージを前記複数の電源端子の中で他の１つに電気的に並列に連結させる第２印刷回路と、を含むことを特徴とする請求項１に記載のバックライトアセンブリー。
【請求項１０】
バックライトアセンブリーと、
映像を表示する表示パネルと、を含み、
前記バックライトアセンブリーは、
各々が第１色相の光を発生する第１ＬＥＤパッケージと、
各々が前記第１色相と異なる第２色相の光を発生し、前記第１ＬＥＤパッケージの個数と同一の個数に前記第１ＬＥＤパッケージと互いに交互に配列される第２ＬＥＤパッケージと、
前記第１ＬＥＤパッケージ及び前記第２ＬＥＤパッケージから入射光を受信して出射光を出射する導光板と、
前記第１ＬＥＤパッケージ及び前記第２ＬＥＤパッケージが実装された印刷回路基板と、
前記第１ＬＥＤパッケージの中の前記印刷回路基板の最外側に実装されたいずれか１つから発生して前記導光板側へ進行する光を遮断する遮光部材と、を含む表示装置。
【発明の詳細な説明】
【技術分野】
【０００１】
本発明はバックライトアセンブリー及びこれを有する表示装置に関し、ＬＥＤパッケージを光源として有するバックライトアセンブリー及びこれを有する表示装置関する。
【背景技術】
【０００２】
液晶表示装置のような非自発光表示装置は光を発生するバックライトアセンブリー及び前記光を利用して映像を表示する表示パネルを含み、前記バックライトアセンブリーは外部から電源を受信して光を発生させる光源を含む。前記光源として冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）又はＬＥＤパッケージを使用することができ、この光源の中で電力消費が低くて輝度が高い前記ＬＥＤパッケージが前記冷陰極蛍光ランプを代替していっている。
【０００３】
一方、前記バックライトアセンブリーが互に異なる色相の光を発生する２種類のＬＥＤパッケージ及び前記２種類のＬＥＤパッケージが実装された印刷回路基板を含んで白色光を具現する場合に、印刷回路基板上に前記２種類のＬＥＤパッケージの配列にしたがって前記表示装置の表示品質が異なり得る。例えば、前記２種類のＬＥＤパッケージの配列される間隔が増加するほど、前記互に異なる色相の光が混合される効果が低下されて色のしみが発生することある。また、前記表示パネルの表示領域のエッジ部に対応して特定色相の光を発生するＬＥＤパッケージが配列される場合に、前記エッジ部に暗部が発生され得る。
【先行技術文献】
【特許文献】
【０００４】
【特許文献１】韓国特許公開第１０−２０１０−０１２１１３８号公報
【発明の概要】
【発明が解決しようとする課題】
【０００５】
本発明の一目的は明度及び色相が均一な光を提供するバックライトアセンブリーを提供することにある。
【０００６】
本発明の他の目的は上述したバックライトアセンブリーを含んで表示品質が向上された表示装置を提供することにある。
【課題を解決するための手段】
【０００７】
上述した本発明の一目的を達成するために、本発明によるバックライトアセンブリーは、第１ＬＥＤパッケージ、第２ＬＥＤパッケージ、導光板、印刷回路基板、及び遮光部材を含む。前記第１ＬＥＤパッケージの各々は第１色相の光を発生する。前記第２ＬＥＤパッケージの各々は前記第１色相と異なる第２色相の光を発生し、前記第２ＬＥＤパッケージは前記第１ＬＥＤパッケージの個数と同一の個数に前記第１ＬＥＤパッケージと互に交互に配列される。
【０００８】
前記導光板は前記第１ＬＥＤパッケージ及び前記第２ＬＥＤパッケージから入射光を受信して出射光を出射する。前記印刷回路基板は前記第１ＬＥＤパッケージ及び前記第２ＬＥＤパッケージを実装する。また、前記遮光部材は前記第１ＬＥＤパッケージの中の前記印刷回路基板の最外側に実装されたいずれか１つから発生して前記導光板側へ進行する光を遮断する。
【０００９】
上述した本発明の他の目的を達成するために、本発明による表示装置はバックライトアセンブリー及び映像を表示する表示パネルを含む。前記バックライトアセンブリーは、第１ＬＥＤパッケージ、第２ＬＥＤパッケージ、導光板、印刷回路基板、及び遮光部材を含む。前記第１ＬＥＤパッケージの各々は第１色相の光を発生する。前記第２ＬＥＤパッケージの各々は前記第１色相と異なる第２色相の光を発生し、前記第２ＬＥＤパッケージは前記第１ＬＥＤパッケージの個数と同一の個数に前記第１ＬＥＤパッケージと互に交互に配列される。
【００１０】
前記導光板は前記第１ＬＥＤパッケージ及び前記第２ＬＥＤパッケージから入射光を受信して出射光を出射し、前記印刷回路基板は前記第１ＬＥＤパッケージ及び前記第２ＬＥＤパッケージを実装する。また、前記遮光部材は前記第１ＬＥＤパッケージの中の前記印刷回路基板の最外側に実装されたいずれか１つから発生して前記導光板側へ進行する光を遮断する。
【発明の効果】
【００１１】
本発明の実施形態によれば、バックライトアセンブリーから出力される光の輝度と色相を均一にすることができる。したがって、前記バックライトアセンブリーを光源として有する表示装置の表示品質を向上することができ、特に、前記表示装置の表示領域のエッジに色のしみ及び暗部が現れることを防止することができる。
【図面の簡単な説明】
【００１２】
【図１】本発明の実施形態による表示装置の分解斜視図である。
【図２】図１に図示されたＬＥＤパッケージ及び表示パネルの配置関係を示す平面図である。
【図３】図１に図示されたバックライトアセンブリーの構成要素の中の一部の結合関係を示す分解斜視図である。
【図４】図３のＩ−Ｉ’に沿って切断された部分を示す断面図である。
【図５】図２に図示された発光ユニットの印刷回路基板が有する印刷回路を示す図面である。
【図６】本発明の他の実施形態による表示装置の断面図である。
【図７】本発明の他の実施形態による表示装置の断面図である。
【発明を実施するための形態】
【００１３】
以下、添付した図面を参照して本発明の実施形態を詳細に説明する。上記した本発明の目的、特徴及び効果は図面に関連された実施形態を通じて容易に理解され得る。但し、本発明はここで説明される実施形態に限定されなく、多様な形態に応用されて変形されることもあり得る。むしろ後述される本発明の実施形態は本発明によって開示された技術思想をより明確にし、さらに本発明が属する分野で平均的な知識を有する当業者に本発明の技術思想が十分に伝達され得るように提供される。したがって、本発明の範囲が後述される実施形態によって限定されることとして解釈されてはならない。一方、下記の実施形態と図面上に同一の参照番号は同一の構成要素を示す。
【００１４】
図１は本発明の実施形態による表示装置の分解斜視図であり、図２は図１に図示されたＬＥＤパッケージ及び表示パネルの配置関係を示す平面図である。
【００１５】
図１及び図２を参照すれば、表示装置６００はバックライトアセンブリー５００及び表示パネル５２０を含む。前記バックライトアセンブリー５００は出射光（図３のＥＴ）を発生し、前記表示パネル５２０は前記バックライトアセンブリー５００から前記出射光を受信して映像を表示する。
【００１６】
本発明の実施形態では、前記表示パネル５２０は液晶表示パネルであり、この場合に、前記表示パネル５２０は複数の画素電極を有する第１基板５２１、共通電極を有する第２基板５２２、及び前記第１基板５２１と前記第２基板５２２との間に介在された液晶層（図示せず）を包含することができる。また、本発明の他の実施形態では、前記表示パネル５２０はエレクトロウェッティング表示パネルであることもあり得る。この場合に、前記表示パネル５２０は、前記液晶層の代わりに、前記第１及び第２基板５２１、５２２の間に介在される流体層（図示せず）を包含することができる。前記流体層は互に混合されない２種類の流体を包含でき、前記２種類の流体の中でいずれか１つは電気的極性を有することができる。
【００１７】
前記バックライトアセンブリー５００は収納容器５８０、反射板５７０、導光板５５０、モールドフレーム５３０、複数のシート５４０、遮光部材５３５、発光ユニット１００、及びカバー部材５１０を含む。
【００１８】
前記収納容器５８０は底部５８５及び前記底部５８５から延長された複数の側壁５８１を具備して、前記バックライトアセンブリー５００の構成要素を収納する。本発明の実施形態では、前記複数の側壁５８１の中でいずれか１つの内側面上に前記発光ユニット１００が配置され得る。しかし、本発明がこれに限定されることではなく、複数の発光ユニット１００が提供されて前記複数の側壁５８１の中の他の側壁上にさらに配置することもできる。
【００１９】
前記導光板５５０は前記収納容器５８０に収納されて一側部が前記発光ユニット１００と対向する。したがって、前記導光板５５０の側部を通じて前記発光ユニット１００の第１ＬＥＤパッケージＰ１及び第２ＬＥＤパッケージＰ２から入射光が前記導光板５５０側へ提供され、前記導光板５５０は前記表示パネル５２０側に出射光（図３のＥＴ）を提供することができる。
【００２０】
前記反射板５７０はポリエチレンテレフタレート（ｐｏｌｙｅｔｈｙｌｅｎｅ  ｔｅｒｅｐｈｔｈａｌａｔｅ、ＰＥＴ）及びアルミニウムのような光を反射する物質を含んで前記収納容器５８０の底部５８５及び前記導光板５５０の間に配置される。したがって、前記発光ユニット１００から発生して前記導光板５５０側へ入射されなかった光は前記反射板５７０によって反射された後、前記導光板５５０へ入射され得る。
【００２１】
前記モールドフレーム５３０は前記収納容器５８０に結合されて前記導光板５５０の縁を前記収納容器５８０の前記底部５８５に支持する。前記モールドフレーム５３０の一部分は前記底部５８５と並べた方向に延長されて前記モールドフレーム５３０の前記一部分上に前記複数のシート５４０及び前記表示パネル５２０が安着され得る。
【００２２】
前記複数のシート５４０は前記表示パネル５２０の上部に配置される。前記複数のシート５４０は前記導光板５５０から出射されて前記表示パネル５２０側に入射される光の経路を調節する光学シート及び前記表示パネル５２０の表面を保護する保護シートを包含することができる。本発明の実施形態では、前記複数のシート５４０は前記表示パネル５２０の背面を保護する保護シート５４１、正面での輝度を向上させるプリズムシート５４３、及び光を拡散させる拡散シート５４５を包含することができる。
【００２３】
前記遮光部材５３５は複数のＬＥＤパッケージＬＧの中の印刷回路基板ＰＢの最外側に実装されたいずれか１つから発生して前記導光板５５０側へ進行する光を遮断する。本発明の実施形態では、前記複数のＬＥＤパッケージＬＧは、互いに交互に配列される複数の第１ＬＥＤパッケージＰ１及び複数の第２ＬＥＤパッケージＰ２を包含できる。前記第１ＬＥＤパッケージＰ１の各々は前記第１色相を有する第１光Ｌ１を発生し、前記第２ＬＥＤパッケージＰ２の各々は前記第１色相と異なる第２色相の第２光Ｌ２を発生する。この場合に、前記遮光部材５３５は前記複数の第１ＬＥＤパッケージＰ１の中の前記印刷回路基板ＰＢの最外側に位置したいずれか１つから発生される前記第１色相を有する光を遮断する。前記遮光部材５３５に対しては図３及び図４を参照してより詳細に説明される。
【００２４】
前記発光ユニット１００は前記表示パネル５２０が映像を表示するのに使用される光を発生する。前記発光ユニット１００は印刷回路基板ＰＢ、複数のＬＥＤパッケージＬＧ、及びコネクターＣＮＴを含む。前記複数のＬＥＤパッケージＬＧ及び前記コネクターＣＮＴは前記印刷回路基板ＰＢ上に実装され、これによって、前記複数のＬＥＤパッケージＬＧは、前記コネクターＣＮＴと電気的に連結される電源供給装置（図示せず）を通じて提供される電源を利用して発光することができる。
【００２５】
前記複数のＬＥＤパッケージＬＧは複数の第１ＬＥＤパッケージＰ１及び複数の第２ＬＥＤパッケージＰ２を含む。前記第１ＬＥＤパッケージＰ１の各々は前記第１光Ｌ１を発生し、前記第２ＬＥＤパッケージＰ２の各々は前記第１光Ｌ１と異なる色相を有する前記第２光Ｌ２を発生する。前記第１色相及び前記第２色相が互に混合された前記出射光の色相が白色になるように前記第１及び第２色相が定義され得る。
【００２６】
本発明の実施形態では、前記第１色相はグリーン色であり、前記第２色相はマゼンタ色であり、この場合に、前記第１色相及び前記第２色相が互に混合されて前記出射光が白色になり得る。しかし、本発明がこれに限定されることではなく、前記第１及び第２色相が混合されて白色になる前提の下に、前記第１色相及び前記第２色相は、グリーン色、及びマゼンタ色の外に、他の色相であることもあり得る。
【００２７】
本発明の実施形態では、前記印刷回路基板ＰＢ上に前記第１及び第２ＬＥＤパッケージＰ１、Ｐ２が互に同一の個数で実装される。例えば、前記表示パネル５２０が２４インチの大きさを有する場合に、前記第１ＬＥＤパッケージＰ１の個数は３６個であり、前記第２ＬＥＤパッケージＰ２の個数は３６個であり得る。
【００２８】
また、前記第１及び第２ＬＥＤパッケージＰ１、Ｐ２は互いに交互に配列される。したがって、前記互いに交互に配列された前記第１及び第２ＬＥＤパッケージＰ１、Ｐ２が配置される領域の中の前記印刷回路基板ＰＢの最外側に位置した第１領域Ａ１に前記第１ＬＥＤパッケージＰ１の中でいずれか１つが配置される場合に、前記第１領域Ａ１に対向する他の最外側に位置する第３領域Ａ３には前記第２ＬＥＤパッケージＰ２の中でいずれか１つが配置される。
【００２９】
以下、説明を簡単にするために前記第１領域Ａ１に配置された前記第１ＬＥＤパッケージＰ１の中でいずれか１つをダミーＬＥＤパッケージとして定義し、前記第１領域Ａ１の次に位置する第２領域Ａ２に配置される前記第２ＬＥＤパッケージＬ２の中でいずれか１つを第１側ＬＥＤパッケージとして定義し、前記第３領域Ａ３に配置される前記第２ＬＥＤパッケージＬ２の中でいずれか１つを第２側ＬＥＤパッケージとして定義する。この場合に、前記ダミーＬＥＤパッケージは前記第１光Ｌ１を発生し、前記第１及び第２側ＬＥＤパッケージの各々は前記第２光Ｌ２を発生する。
【００３０】
一方、上述したように前記ダミーＬＥＤパッケージは前記第１光Ｌ１を発生するが、前記ダミーＬＥＤパッケージから発生して前記導光板５５０側へ進行する前記第１光Ｌ１は遮光部材５３５によって遮断される。したがって、前記ＬＥＤパッケージＬＧの中の前記ダミーＬＥＤパッケージを除外した残りのＬＥＤパッケージから発生される光が前記導光板５５０側へ提供され、前記残りのＬＥＤパッケージは前記第１側ＬＥＤパッケージから前記第２側ＬＥＤパッケージまで第１方向Ｄ１に順次的に配列されたＬＥＤパッケージに該当する。即ち、前記第１ＬＥＤパッケージＰ１の個数及び前記第２ＬＥＤパッケージＰ２の個数の各々がｍ個（ｍは自然数）である時、ｍ−１個に該当する第１ＬＥＤパッケージＰ１から発生される光が前記導光板５５０側へ提供され、ｍ個に該当する第２ＬＥＤパッケージＰ２から発生される光が前記導光板５５０側へ提供される。
【００３１】
本発明の実施形態では、前記ダミーＬＥＤパッケージ及び前記第１側ＬＥＤパッケージは第１間隔Ｓ１を置いて配列され、前記ＬＥＤパッケージＬＧの中の前記ダミーＬＥＤパッケージを除外した残りのＬＥＤパッケージは第２間隔Ｓ２を置いて配列される時、前記第１間隔Ｓ１は前記第２間隔Ｓ２より大きい。本発明の実施形態では、前記表示パネル５２０の大きさが２４インチであり、前記第１ＬＥＤパッケージＰ１の個数は３６個であり、前記第２ＬＥＤパッケージＰ２の個数は３６個である場合に、前記第１間隔Ｓ１の最小値は約６．１ｍｍであり、前記第２間隔Ｓ２は１ｍｍ乃至２ｍｍであり得る。
【００３２】
上述したように前記第１間隔Ｓ１が前記第２間隔Ｓ２より大きい場合に、遮光部材５３５によって前記ダミーＬＥＤパッケージから発生して前記導光板５５０側へ進行する前記第１光Ｌ１が遮断される効果が向上され得る。第１間隔Ｓ１が第２間隔Ｓ２より大きいと、遮光部材５３５によりダミーＬＥＤパッケージから発生する光のみを効率的に遮断しつつ、一方で第２領域Ａ２の第１側ＬＥＤパッケージから発生する光を遮光部材５３５により遮断することなく導光板５５０へ効率的に導入することができる。
【００３３】
一方、前記第１間隔Ｓ１が約６．１ｍｍより大きいほど、前記ダミーＬＥＤパッケージ及び前記導光板５５０の間の離隔距離が遠くなるので、前記遮光部材５３５によって前記ダミーＬＥＤパッケージから発生する前記第１光Ｌ１が遮断される効果がさらに向上されることがあり得る。つまり、第１間隔Ｓ１が約６．１ｍｍより大きい場合には、ダミーＬＥＤパッケージ及び前記導光板５５０の間の離隔距離が大きくても、ダミーＬＥＤパッケージから発生する第１光Ｌ１を遮光部材５３５により効率的に遮断することができる。しかし、前述のように第１間隔Ｓ１が約６．１ｍｍより大きい場合に、前記発光ユニット１００が収納される前記収納容器５８０の体積が増加するので、前記第１間隔Ｓ１は約５．５ｍｍ乃至約８．０ｍｍ内で設定されることが望ましい。
【００３４】
前記ＬＥＤパッケージＬＧ及び前記表示パネル５２０の配置関係は次の通りである。前記表示パネル５２０は映像が表示される表示領域ＤＡ及び前記表示領域ＤＡを囲む周辺領域ＳＡを含む。この場合に、本発明の実施形態では、前記周辺領域ＳＡは前記ダミーＬＥＤパッケージ及び前記コネクターＣＮＴが配置される位置に対応し、前記表示領域ＤＡは前記ダミーＬＥＤパッケージ及び前記コネクターＣＮＴを除外した前記ＬＥＤパッケージＬＧが配置された位置と対応することができる。
【００３５】
一方、先に前記第１及び第２側ＬＥＤパッケージの定義によれば、前記第１及び第２側ＬＥＤパッケージは前記第２ＬＥＤパッケージＰ２の一部分であるので、前記第２光Ｌ２を発生させる。したがって、本発明の実施形態でのように、前記第１光Ｌ１の色相が緑色であり、前記第２光Ｌ２の色相がマゼンタ色である場合に、前記表示領域ＤＡの両側に対応してマゼンタ色の光を発生させる前記第１及び第２側ＬＥＤパッケージが配置され得る。
【００３６】
したがって、本発明の実施形態と異なる表示装置において、前記表示領域ＤＡの少なくとも一側に対応してグリーン色の光を発生させる前記第１ＬＥＤパッケージＰ１が配置される場合に、前記表示領域ＤＡの前記少なくとも一側に色のしみ又は周辺より明度が低い暗部が現れることがあり得る。しかし、本発明の実施形態では前記表示領域ＤＡの両側にマゼンタ色の前記第２光Ｌ２を発生させる前記第１及び第２側ＬＥＤパッケージが配置されて前記表示領域ＤＡに前記色のしみ及び前記暗部が現れることを防止することができる。
【００３７】
カバー部材５１０は前記表示パネル５２０の表示領域が露出されるようにその一部が開口され、前記表示パネル５２０の枠をカバーして前記収納容器５８０に結合される。前記カバー部材５１０が前記収納容器５８０に締結されることによって、前記収納容器５８０の内部に前記バックライトアセンブリー５００の構成要素が安定的に収納され得る。
【００３８】
図３は図１に図示されたバックライトアセンブリーの構成要素の中の一部の結合関係を示す分解斜視図であり、図４は図３のＩ−Ｉ’に沿って切断された部分を示す断面図である。
【００３９】
図１、図３及び図４を参照すれば、モールドフレーム５３０には表示パネル５２０の表示領域ＤＡが露出されるように開口部ＯＰ（図１参照）が形成され、前記モールドフレームは５３０は第１方向Ｄ１及び前記第１方向Ｄ１と実質的に垂直である第２方向Ｄ２へ延長されたフレーム形状を有して前記導光板５５０の縁部を収納容器５８０で支持する。
【００４０】
図３及び図４に図示される実施形態では、遮光部材５３５は前記モールドフレーム５３０に結合され得る。この場合に、前記遮光部材５３５は前記モールドフレーム５３０の背面又は側面に結合されて前記第１及び第２方向Ｄ１、Ｄ２と垂直である第３方向Ｄ３へ延長され得る。つまり、図３、図４に示す実施形態では、遮光部材５３５はモールドフレーム５３０と一体に形成されて、モールドフレーム５３０の一部から第３方向Ｄ３に突出するように設けられている。したがって、前記モールドフレーム５３０が前記収納容器５８０の側壁５８１の上端に安着される場合に、前記遮光部材５３５はＬＥＤパッケージＬＧの中の最外側に位置した第１ＬＥＤパッケージＰ１と対向することができる。
【００４１】
前記ＬＥＤパッケージＬＧの中の前記最外側に位置した前記第１ＬＥＤパッケージＰ１は、先に図１及び図２の説明で定義されたように、ダミーＬＥＤパッケージである。したがって、前記ダミーＬＥＤパッケージから発生された第１光Ｌ１は前記遮光部材５３５によって遮断されて前記導光板５５０側へ提供されない。
【００４２】
図５は図２に図示された発光ユニットの印刷回路基板が有する印刷回路を示す図面である。図５では第１部分１００＿１及び第２部分１００＿２に区分された発光ユニット１００が図示され、実質的に、前記発光ユニット１００は前記第１部分１００＿１及び前記第２部分１００＿２が連続的に連結された形状を有する。
【００４３】
図５を参照すれば、前記発光ユニット１００は印刷回路基板ＰＢ、前記印刷回路基板ＰＢ上に実装されたコネクターＣＮＴ、複数の第１及び第２ＬＥＤパッケージＰ１、Ｐ２を含む。また、前記印刷回路基板ＰＢは第１乃至第４印刷回路ＰＣ１、ＰＣ２、ＰＣ３、ＰＣ４を含む。
【００４４】
前記第１ＬＥＤパッケージＰ１は複数のグループに区分されて前記複数のグループの各々に該当する第１ＬＥＤパッケージが互いに電気的に並列に連結される。より詳細には、前記第１部分１００＿１に８つの第１ＬＥＤパッケージＰ１が配列され、前記第２部分１００＿２に８つの第１ＬＥＤパッケージＰ１が配列される。便宜上、前記第１部分１００＿１に配列された前記８つの第１ＬＥＤパッケージＰ１を第１グループとして定義し、前記第２部分１００＿２に配列された前記８つの第１ＬＥＤパッケージＰ１を第２グループとして定義すれば、前記第１印刷回路ＰＣ１によって前記第１グループに該当する第１ＬＥＤパッケージＰ１が前記コネクターＣＮＴの第１電源端子Ｔ１と電気的に並列に連結され、前記第３印刷回路ＰＣ３によって前記第２グループに該当する第１ＬＥＤパッケージＰ１が前記コネクターＣＮＴの第３電源端子Ｔ３と電気的に並列に連結される。
【００４５】
したがって、前記第１及び第３電源端子Ｔ１、Ｔ３の各々に同一の電流を提供する場合に、前記第１グループに該当する前記８つの第１ＬＥＤパッケージＰ１及び前記第２グループに該当する前記８つの第１ＬＥＤパッケージＰ１に互いに同一の電流が供給され、これによって、前記第１及び第２グループに該当する１６個の前記第１ＬＥＤパッケージＰ１を実質的に互いに同一の輝度に容易に発光させ得る。
【００４６】
前記１６個の第１ＬＥＤパッケージＰ１が前記第１印刷回路ＰＣ１又は前記第３印刷回路ＰＣ３によって前記コネクターＣＮＴと電気的に連結される方式と同様に、図５に図示された１６個の第２ＬＥＤパッケージＰ２の中の８つは前記第２印刷回路ＰＣ２によって第２電源端子Ｔ２に電気的に並列に連結され、前記１６個の第２ＬＥＤパッケージＰ２の中の残り８つは前記第４印刷回路ＰＣ４によって第４電気端子Ｔ４に電気的に並列に連結される。したがって、前記第２及び第４電源端子Ｔ２、Ｔ４の各々に同一の電流を提供する場合に、前記１６つの第２ＬＥＤパッケージＰ２を実質的に互いに同一の輝度に容易に発光させ得る。
【００４７】
図５に図示される実施形態では、前記１６個の第１ＬＥＤパッケージＰ１及び前記１６個の第２ＬＥＤパッケージＰ２が前記コネクターＣＮＴと電気的に連結されるが、本発明がこれに限定されることではない。例えば、図５に図示される実施形態と異なり、前記第１ＬＥＤパッケージＰ１及び前記第２ＬＥＤパッケージＰ２の各々の個数は２４個及び３２個のように８の倍数に増加することもでき、前記増加された第１及び第２ＬＥＤパッケージＰ１、Ｐ２に対応して他の印刷回路が前記印刷回路基板ＰＢ上にさらに配置され得る。
【００４８】
図６は本発明の他の実施形態による表示装置の断面図である。
【００４９】
遮光部材５３６を除外すれば、前記表示装置６０１は先に図１乃至図５を参照して説明された表示装置（図１の６００）と同一の構成要素を包含することができる。したがって、図６を説明することにおいて、先に図１乃至図５を参照して説明された構成要素に対しては図面符号を併記し、前記構成要素に対する重複された説明は省略される。
【００５０】
図６に図示された実施形態では、前記遮光部材５３６は接着物質を含む遮光テープであり得る。この場合に、前記遮光部材５３６は、先に図１及び図２を説明の際に定義されたように、第１ＬＥＤパッケージＰ１の中の最外側に位置したダミーＬＥＤパッケージの発光面に接着される。したがって、前記遮光部材５３６によって前記ダミーＬＥＤパッケージから発生して前記導光板５５０側へ進行する光が遮断される。
【００５１】
図７は本発明の他の実施形態による表示装置の断面図に、図７に図示された前記表示装置６０２の断面の位置は図４に図示された表示装置（図４の６００）の断面の位置と同一である。
【００５２】
一方、遮光部材５３７を除外すれば、前記表示装置６０２は先に図１乃至図５を参照して説明された表示装置（図１の６００）と同一の構成要素を包含することができる。したがって、図７を説明することにおいて、先に図１乃至図５を参照して説明された構成要素に対しては図面符号を併記し、前記構成要素に対する重複された説明は省略される。
【００５３】
図７に図示された実施形態では、前記遮光部材５３７は収納容器５８０の底部５８５から延長された形状を有することができる。この場合に、前記遮光部材５３７は、先に図１及び図２を説明の際に定義されたように、第１ＬＥＤパッケージＰ１の中の最外側に位置したダミーＬＥＤパッケージと導光板５５０との間に配置される。したがって、前記遮光部材５３７によって前記ダミーＬＥＤパッケージから発生して前記導光板５５０側へ進行する光が遮断される。
【００５４】
上記本発明の実施形態によれば、バックライトアセンブリーから出力される光の輝度と色相を均一にすることができる。したがって、前記バックライトアセンブリーを光源として有する表示装置の表示品質を向上することができ、特に、前記表示装置の表示領域のエッジに色のしみ及び暗部が現れることを防止することができる。
【００５５】
（変形例）
上記実施形態では、第１ＬＥＤパッケージ及び第２ＬＥＤパッケージの数を同数としいるが、必ずしも第１ＬＥＤパッケージ及び第２ＬＥＤパッケージの数を同数とする必要は無い。この場合、第１ＬＥＤパッケージが最外郭に配置される場合には、上記実施形態と同様にその第１ＬＥＤパッケージに対応するように遮光部材５３５を設ける。例えば、表示装置の両サイドに第１ＬＥＤパッケージが配置される場合には、両サイドに遮光部材５３５を設けてもよい。あるいは、第２ＬＥＤパッケージが両サイドに位置するように配置してもよい。
【００５６】
以上では本発明の望ましい実施形態を参照して説明したが、該当技術分野の熟練された当業者又は該当技術分野に通常の知識を有する者であれば、後述される特許請求の範囲に記載された本発明のマッピング及び技術領域から逸脱しない範囲内で本発明を多様に修正及び変形できることは理解できる。したがって、本発明の技術的範囲は明細書の詳細な説明に記載された内容に限定されることではなく、特許請求の範囲によって定まれなければならない。
【符号の説明】
【００５７】
ＬＧ・・・ＬＥＤパッケージ
ＬＧ・・・ＬＥＤパッケージ
Ｐ１・・・第１ＬＥＤパッケージ
Ｐ２・・・第２ＬＥＤパッケージ
ＰＢ・・・印刷回路基板
１００・・・発光ユニット
５００・・・バックライトアセンブリー
５３０・・・モールドフレーム
５３５・・・遮光部材
【図１】
2014038831.tif 000003
【図２】
2014038831.tif 000004
【図３】
2014038831.tif 000005
【図４】
2014038831.tif 000006
【図５】
2014038831.tif 000007
【図６】
2014038831.tif 000008
【図７】
2014038831.tif 000009